(57)【要約】      （修正有）【課題】外耳道内の周囲に付着している耳垢を効率よく除去できる耳かきを提供する。【解決手段】柄の少なくとも一端に、湾曲面を有する耳かき部の一側面を面取加工してなることを特徴とする耳かきである。使用時には、例えば右手に耳かき１の柄２を持ち、右耳の中に上方の耳かき部３を入れ、右回転させることで外耳道の外周にこびりついた耳垢をこそげ部４にて除去することができる。【選択図】図１
0003149811.tif 000002
【実用新案登録請求の範囲】
【請求項１】
柄の少なくとも一端に、湾曲面を有する耳かき部の一側面を面取加工してこそげ部を設けてなることを特徴とする耳かき。
【請求項２】
柄の少なくとも一端に、湾曲面を有する耳かき部の一側面から先端面にかけて面取加工してこそげ部を設けてなることを特徴とする耳かき。
【請求項３】
耳かき部を、柄軸中心線において左右非対称とすることを特徴とする請求項１又は２記載の耳かき。
【考案の詳細な説明】
【技術分野】
【０００１】  本考案は、外耳道内の周囲に付着している耳垢を効率よく除去する耳かきに関するものである。
【背景技術】
【０００２】  従来の技術として、柄の一端又は両端に円板部材からなる耳かき部を取付ける。また、両端の耳かき部を湾曲面あるいは平板状とし、かつ円周端部に曲部を構成し異なった径とする。使用時には、耳かき部の円周全体で使用可能であるため、柄を操作して先端の耳かき部を上下または左右に動かすだけで耳のアカが取れるものがある。（特許文献１参照）【０００３】  また別の従来技術として、棒状の耳掻きの先端の形状が湾曲形、楕円形などのスプーン状であり、かつその背面に同形の湾曲形、楕円形などのスプーン状を設け、耳掻き部分を先端より同じ位置、あるいは異なる位置に一体型として取り付けた耳掻きがある。（特許文献２参照）
【特許文献１】登録実用新案第３００８５５７号公報
【特許文献２】特開２００５−３２３９８７号公報
【考案の開示】
【考案が解決しようとする課題】
【０００４】  耳の掃除に凝っている人は多く、さらにその多くのユーザーは使用する道具にもこだわりを持っている。しかしながらインターネット上のある統計では７０％以上のユーザーが竹製の耳かきを愛用し、ステンレスなどの金属製を使用していると答えたユーザーが２０％以上となっていてプラスチック製を使用するユーザーは非常に少ない。そのプラスチック製の製品においてもライトが点灯する製品や光ファイバーの原理を応用して耳の中が見やすくなるといった自分以外に使用することを主目的とした製品が占めている。また、スプーン形状の耳かきや綿棒にたいしては、耳垢を奥に押し込んでしまう逆効果が認識されつつあり、外耳道の形状に合わせて使用できるツールとして商品価値が望まれている。【０００５】  上記前者においては、柄の両端に大きさ（形状）の異なる耳かき部を設けてなるもので、耳かき部が左右対称（柄軸中心線において）であり、外耳の複雑な形状に合わせて耳垢を除去すること、また、耳垢の外耳道への付着力に対応することが難しいものである。【０００６】  また、上記後者においても、Ａ−Ａ断面の形状は左右対称であり、上記と同様に外耳の複雑な形状に合わせて耳垢を除去すること、また、耳垢の外耳道への付着力に対応することが難しいものである。【０００７】  本考案は、このような従来の構成が有していた問題を解決するものであり、柄の少なくとも一端に、湾曲面を有する耳かき部の一側面を面取加工してこそげ部を設けることにより、外耳道の外周にこびりついた耳垢をこそげ部にて除去することができると共に、反対側のＲ面は軽く付着している耳垢を取り除くものである。
また、柄の少なくとも一端に、湾曲面を有する耳かき部の一側面から先端面にかけて面取加工してこそげ部設けることにより、外耳道の奥のこびりついた耳垢を手前にかき出すことができる耳かきを提案することを目的とする。
【課題を解決するための手段】
【０００８】  本考案は、上記目的を達成するため、柄の少なくとも一端に、湾曲面を有する耳かき部の一側面を面取加工してこそげ部を設けてなる。
柄の少なくとも一端に、湾曲面を有する耳かき部の一側面から先端面にかけて面取加工してこそげ部を設けてなる。
耳かき部を、柄軸中心線において左右非対称とする。
【考案の効果】
【０００９】１）、柄の少なくとも一端に、湾曲面を有する耳かき部の一側面を面取加工してこそげ部を設けることにより、外耳道の外周にこびりついた耳垢をこそげ部にて除去することができると共に、反対側のＲ面５（円弧状）は軽く付着している耳垢を取り除くことができる。
２）、柄の少なくとも一端に、湾曲面を有する耳かき部の一側面から先端面にかけて面取加工してこそげ部を設けることにより、外耳道の奥のこびりついた耳垢を手前にかき出すことができる。
【考案を実施するための最良の形態】
【００１０】  耳かき１は、合成樹脂製等により一体成形したもので、柄２の両端に湾曲面を有する耳かき部３の一側面を面取加工（先端を尖らせてなる）してこそげ部４を設けてなる。
なお、反対側はＲ面５（円弧状）に形成してある。
また、耳かき部３は、柄２軸中心線ＴＨにおいて左右非対称とするものである。【００１１】  耳かき２１は、同様に一体成形したもので、柄２２の両端に湾曲面を有する耳かき部２３の一側面から先端面にかけて面取加工（先端を尖らせてなる）してなるこそげ部２４を設けてなる。（上記同様、こそげ部２４以外はＲ面２５とする）
また、上記と同様に耳かき部２３は、柄２２軸中心線ＴＨ１において左右非対称とするものである。【００１２】  上記耳かき１の使用例について説明する。
例えば、右手に耳かき１の柄２を持ち右耳（図示せず）の中に、上方の耳かき部３を入れ右回転させることで外耳道の外周にこびりついた耳垢（図示せず）をこそげ部４にて除去することができる。
また、軽く付着している耳垢（図示せず）の場合は左回転させて除去するものである。（左耳も同様である）【００１３】  左ききの方は左手に耳かき１を持ち同様の作業を行うことができる。
なお、下方の耳かき部３を使用する場合は、上記の回転とは逆方向であり、使用し易い方を使えばよい。【００１４】  つぎに、耳かき２１の使用例について説明する。
主に、外耳道の奥にある耳垢を除去するもので、柄２２を右手（左手）で持ち、こそげ部２４にて手前にかき出すもので、耳垢の位置により上方（下方）の耳かき部２３を選択すればよい。【００１５】  上記各実施例において、耳かき１と耳かき２１を組み合わせることにより、効果的に使用できるもので、商品化においては２本をワンセットとして提供したい。
また、柄の部分は、断面四角形あるいは円形等、いろいろ考えられ、摩り止め等を形成するなど、特に限定するものではない。
さらに、耳かき部の大きさを上下で変えるのも一考である。
【図面の簡単な説明】
【００１６】
【図１】  本考案の第１実施例を示す耳かきの正面図。
【図２】  本考案の第１実施例を示す耳かきの側面図。
【図３】  本考案の第１実施例を示す耳かきの耳かき部の端面図。
【図４】  本考案の第２実施例を示す耳かきの正面図。
【図５】  本考案の第２実施例を示す耳かきの側面図。
【図６】  本考案の第２実施例を示す耳かきの耳かき部の端面図。
【符号の説明】
【００１７】１−−−−耳かき
２−−−−柄
３−−−−耳かき部
４−−−−こそげ部
５−−−−Ｒ面
ＴＨ−−−軸中心線
【図１】
0003149811.tif 000003
【図２】
0003149811.tif 000004
【図３】
0003149811.tif 000005
【図４】
0003149811.tif 000006
【図５】
0003149811.tif 000007
【図６】
0003149811.tif 000008